(57)【要約】【課題】  構造を簡素化しつつ、十分な乾燥効率を実現できる乾燥機を提供する。【解決手段】  回転ドラム１は回転軸６，７周りを回転動作する。一方の回転軸７には温風の吸気手段が備えられている。回転ドラム１内に被乾燥処理物を投入及び排出する投入・排出口２には広い排気面積を確保した温風の排気手段が取り付けられる。回転ドラム１の回転動作と吸気手段及び排気手段による温風の吸排気によって、被乾燥処理物を混合しつつ、全体を万遍なく乾燥させることができる。【選択図】        図１
2016191487.tif 000002
【特許請求の範囲】
【請求項１】
粉末材料等の被乾燥処理物を収容する容器と、当該容器を乗載する支持手段と、前記容器を前記支持手段に対して所定の角度範囲で回転させる回転手段からなり、当該回転手段を構成する回転軸の一方に吸気手段を備え、前記容器から被乾燥処理物を投入及び排出する開口に排気手段を取り付けて構成したことを特徴とする乾燥機。
【請求項２】
前記吸気手段は、前記支持手段に回転可能に支持される回転軸と、該回転軸の一方端を前記容器内に挿入して当該容器と共動回転するよう構成し、かつ、当該回転軸の中空部に形成した流路を介して前記容器外部と容器内部を連通し、前記容器内に挿入した前記回転軸の一方端には前記容器内の被乾燥処理物が前記回転軸の流路から容器外部へ漏出することを防止するフィルタを備えて構成したことを特徴とする請求項１記載の乾燥機。
【請求項３】
前記排気手段は、前記容器の前記開口を閉塞する中空状に形成した基端部と、該基端部から前記容器内に延出し、これに取り付けるフィルターを介して前記容器内と前記基端部の中空部内を連通するフィルター枠部と、前記基端部の中空部と連通する中空部を有する排気管部からなることを特徴とする請求項１又は請求項２の何れかに記載の乾燥機。
【発明の詳細な説明】
【技術分野】
【０００１】
本発明は、粉末材料等の被乾燥処理物を容器内で乾燥処理する乾燥機の改良に関する。
【背景技術】
【０００２】
従来、容器内で粉末材料等の被乾燥処理物を混合しつつ、容器内に温風等を給送して乾燥処理する乾燥装置が知られており、下記特許文献によって例示できる。
【先行技術文献】
【特許文献】
【０００３】
【特許文献１】特許第３７３４９８５号
【０００４】
上記特許文献記載の乾燥装置は、回転ドラムを所定の角度で傾斜させた状態で回転させるとともに、温風給気口から温風を給送し、かつ、温風排気口から前記温風を強制的に排気する。その結果、前記回転ドラム内に収容した被乾燥処理物は、温風によって回転ドラムの軸方向（長さ方向）に吹き飛ばされるとともに、回転ドラムの回転運動によって外側から内側方向に巻き込まれて、万遍なく温風と接触するので、大量の被乾燥処理物を比較的少量の温風で乾燥させることができる利点を有する。
【発明の概要】
【発明が解決しようとする課題】
【０００５】
しかし、上記構成の乾燥装置は、被乾燥処理物を万遍なく温風と接触させて乾燥させることはできるが、被乾燥処理物を収容する回転ドラムは、これを傾斜させる動作と回転させる動作を実現しなければならず、装置が複雑かつ大型化してしまう問題がある。
【０００６】
また、被乾燥処理物を回転ドラムから排出する場合にも、温風排気口が斜め下向きとなるように所定の角度傾斜させるとともに、回転ドラムを回転させることによって、回転ドラム内の被乾燥処理物を温風排気口から排出させる必要があり、複雑な動作が必要となる。
【０００７】
本発明は、上記問題に鑑み、装置の構成を極力簡素化しつつ、被乾燥処理物の乾燥能力はそのままに、容器内から被乾燥処理物を排出する作業も単純化することのできる改良した乾燥機を提供することを目的とする。
【課題を解決するための手段】
【０００８】
請求項１記載の発明は、粉末材料等の被乾燥処理物を収容する容器と、当該容器を乗載する支持手段と、前記容器を前記支持手段に対して所定の角度範囲で回転させる回転手段からなり、当該回転手段を構成する回転軸の一方に吸気手段を備え、前記容器から被乾燥処理物を投入及び排出する開口に排気手段を取り付けて乾燥機を構成したことに特徴を有する。
【０００９】
請求項２記載の発明は、請求項１記載の発明の吸気手段を、支持手段に回転可能に支持される回転軸と、回転軸の一方端を容器内に挿入して当該容器と共動回転するよう構成し、かつ、回転軸の中空部に形成した流路を介して容器外部と容器内部を連通し、容器内に挿入した回転軸の一方端には容器内の被乾燥処理物が回転軸の流路から容器外部へ漏出することを防止するフィルターを備えて構成したことに特徴を有する。
【００１０】
請求項３記載の発明は請求項１記載の発明の排気手段を、容器の開口を閉塞する中空状に形成した基端部と、基端部から容器内に延出し、これに取り付けるフィルターを介して容器内と基端部の中空部内を連通するフィルター枠部と、基端部の中空部と連通する中空部を有する排気管部によって構成したことに特徴を有する。
【発明の効果】
【００１１】
請求項１記載の発明によれば、単純な装置構成で、容器の回転角度範囲を拡大することで、回転動作のみによって被乾燥処理物を充分に混合しつつ、全体を万遍なく乾燥処理することが可能となる。
【００１２】
請求項２記載の発明によれば、容器の回転動作に必要な回転軸を利用して吸気手段を構成したので、回転軸と別途、吸気手段を設ける必要はなく、装置構成をより簡素化できる。
【００１３】
請求項３記載の発明によれば、被乾燥処理物の開口を利用して排気手段を取り付け、かつ、排気手段は、容器内に延出するフィルターを介して、容器内と容器外を連通する構成であるので、排気面積を拡大することができ、被乾燥処理物の乾燥効率を向上させることができる。
【図面の簡単な説明】
【００１４】
【図１】本発明の乾燥機の正面図と縦断面図を結合した図である。
【図２】本発明の乾燥機の吸気手段を拡大して示す縦断面図である。
【図３】本発明の乾燥機の排気手段を拡大して示す縦断面図である。
【図４】前記排気手段を回転ドラムに取り付けた状態を示す図である。
【図５】本発明の乾燥機を回転動作させたときの側面図である。
【発明を実施するための形態】
【００１５】
以下、本発明の実施の形態を図１乃至図５により説明する。図１において、Ａは本発明の乾燥機を示しており、１は粉末材料等の被乾燥処理物を収容するための容器（以下、回転ドラムという）であり、長手方向の一方端（図１の上側）に図示しない被乾燥処理物の投入・排出口２を備えている。
【００１６】
３はアングル鋼等によって枠組して形成した支持台であり、支持座４，５に図示しない軸受よって回転可能に枢支した回転軸６，７を介して回転ドラム１を支えている。
【００１７】
８は回転軸６に止着したスプロケットであり、支持台３の下部に設置した電動機９（ギヤードモータ等）の回転出力をベルト１０を介して受けて回転する。
【００１８】
図２に本発明の要部の１つである吸気手段１１を示す。吸気手段１１は回転軸７を利用して構成されており、支持台３を構成する支持座５の中空部１２には中空筒状の回転軸７が挿通しており、回転軸７の一方端（図２の左方端）の外周部は軸受１３を介して支持座５に回転可能に枢支されている。回転軸７の左方端の開口部１４には中空状のノズル１５が取り付けられ、図示しない熱源としてのヒータ及び送風機等からなる温風発生装置からの温風を回転軸７の流路１６内に給送するように構成されている。
【００１９】
回転軸７の他方端（図２の右方端）は、回転ドラム１内へ没入し固定されており、その開口部１７には、回転ドラム１内の図示しない被乾燥処理物が回転軸７の流路１６を通って回転ドラム１の外部へ漏出することを防ぐフィルタ１８が止着されている。
【００２０】
図３は本発明のもう１つの要部である排気手段１９を示しており、図３において、２０は回転ドラム１の投入・排出口２に図４に示すようなクランプ２１等を用いて取り付けられる略三角フラスコ形状の基端部であり、その頭部（図3の上側）に連接する鍔部２２には、内周部に軸受２３を備えた回転継手２４が固定されている。
【００２１】
２５は回転継手２４に接続（挿入）される中間継手であり、その一端（図３の上側）に被締結部２６を備えて構成されている。２７はＬ字状に曲成し、中空部に流路を備えた排気管であり、その一方端（図３の下側）には中間継手２５の被締結部２６と対向する略同形状の被締結部２８を備えており、クランプ２９によって中間継手２５に固定される。
【００２２】
前記基端部２０の底面には、透孔３０が形成されており、この透孔３０を囲むようにして基端部２０の底面に固定した複数本の棒状の芯金３１と、複数本の芯金３１で形成されるフィルター枠部３３の周りを覆うようにして取り付けられる有底筒形状のフィルター３２が、回転ドラム１内に延出する格好で取り付けられている。Ｌ字状の排気管２７は、図示しない排風機等からなる温風排出装置と接続されている。
【００２３】
次に上記乾燥機Ａにおいて、被乾燥処理物を乾燥処理する場合について説明する。粉末材料等の被乾燥処理物を乾燥処理する場合は、回転ドラム１を図１に示す垂直上向きの状態から、回転ドラム１の投入・排出口２が斜め上向きになるように傾斜させてから、被乾燥処理物を投入・排出口２から回転ドラム１内に投入する。
【００２４】
被乾燥処理物の投入が完了したら、図３に示す排気手段１９を図４に示すようにクランプ２１を利用して回転ドラム１の投入・排出口２に取り付ける。
【００２５】
その後、図１に示す乾燥機Ａの電動機９を駆動してベルト１０を介してスプロケット８を回転させる。スプロケット８の回転は回転軸６に伝達され、回転軸６は支持台３の支持座４内に備えた図示しない軸受を利用して回転する。
【００２６】
回転軸６は回転ドラム１に連結されており、回転ドラム１は他方の回転軸７によって支持台３の支持座５の図２に示す軸受１３を利用して回転するので、回転軸６，７に連結されている回転ドラム１は回転軸６，７を軸心として図５に示すように回転動作する。
【００２７】
回転ドラム１の回転動作は、図示しない制御装置にあらかじめ設定した制御プログラムにより電動機９を駆動制御して実現するものであり、回転ドラム１の回転角度範囲や回転速度は、回転ドラム１内の被乾燥処理物の種類や投入量等に応じて最適な値となるように設定される。なお、本実施例では、回転ドラム１の回転角度範囲を図５に示す１８０度程度の範囲を設定した場合について説明する。
【００２８】
回転ドラム１が回転動作したら、図２に示す回転軸７に取り付けたノズル１５を介して、図示しない温風発生装置から給送される温風を回転軸７の流路１６内に送り込む。
【００２９】
送り込まれた温風は回転軸７の右端部に取り付けたフィルタ１８を介して回転ドラム１内に給気され、回転ドラム１内の被乾燥処理物と接触し、これを乾燥させる。このとき、回転ドラム１は前述した通り広い角度範囲で回転動作しているので、回転ドラム１内の被乾燥処理物は、回転ドラム１の回転動作によって十分に混合されながら温風が吹き付けられるので、被乾燥処理物全体に万遍なく温風が吹き付けられることになり、乾燥効率を非常に高くすることができる。
【００３０】
一方、乾燥機Ａには図５に示すように排気手段１９が取り付けられており、排気手段１９の先には図示しない温風排出装置が接続されているので、吸気手段１１から回転ドラム１内へ送られた温風は、被乾燥処理物と接触することによって湿気を帯びるが回転ドラム１内に滞留することはなく、温風排出装置を構成する排風機による吸引力によって、強制的に回転ドラム１外へ排出される。
【００３１】
そして、排気手段１９は図３に示すように、棒状の芯金３１と、これら複数本の芯金３１で形成されるフィルター枠部３３の周りを覆うようにして取り付けた有底筒形状のフィルター３２が、回転ドラム１内に延出する格好で取り付けられているので、フィルタ３２の表面積に相当する広い排気面積を確保することができる。その結果、排気温風量を充分確保することができ、回転ドラム１内の被乾燥処理物の乾燥効率を向上させることが可能になる。
【００３２】
また、回転ドラム１内の被乾燥処理物は、排気手段１９のフィルタ３２の存在によって回転ドラム１外へ漏出することはない。一方で、被乾燥処理物の乾燥処理を繰り返すことにより、フィルタ３２に粉末材料等からなる被乾燥処理物が付着し目詰まりを生じることもあるが、この場合は、エアーを排気手段１９側から回転ドラム１内に吹付ける逆洗や、バイブレータによる振動を利用してフィルタ３２の目詰まりを解消すれば良い。
【００３３】
上記の如く被乾燥処理物を充分に乾燥させたら、電動機９の駆動を停止させて回転ドラム１の回転動作を終了させるとともに、図示しない温風発生装置及び温風排出装置を停止させる。その後、図４に示すクランプ２１を外して、回転ドラム１から排気手段１９を取り外した後、回転ドラム１を図１に示す垂直上向きの状態から垂直下向きの状態へ回転させて投入・排出口２を下向きにすることにより、回転ドラム１内の被乾燥処理物を外部に取り出して、被乾燥処理物の乾燥処理を終了する。
【００３４】
以上のように、本発明の乾燥機Ａによれば、回転ドラム１を広い角度範囲で回転させることができるので、回転動作のみによって被乾燥処理物を充分に混合することができ、従来のように回転ドラムの傾斜と回転動作を実現する複雑な構造を備えることなく被乾燥処理物全体を万遍なく乾燥させることができる。
【００３５】
また、被乾燥処理物を乾燥させる温風は一方の回転軸７を利用して回転ドラム１内に送り込む構造であるので、吸気手段を設けるために別途の機構を備える必要はなく、装置構造を簡素化することができる。
【００３６】
さらに、排気手段は回転ドラム１内に延出したフィルタを備えて構成したので、広い排気面積を確保することができ、被乾燥処理物の乾燥効率を向上させることができる。
【００３７】
なお、上記実施例の吸気手段１１を構成する回転軸７の流路１６の径（配管径）によって、回転ドラム１内に送り込む温風の風速を調節することができる。吸気手段１１に接続される図示しない温風発生装置の送り出し温風量が一定であったとしても、例えば、流路１６の径を大きくとることにより、温風の風速を遅くすることができるし、逆に径を小さくとることにより、温風の風速を速くすることができる。したがって、被乾燥処理物の特性に応じて温風の風速を種々変更させることは、本発明の技術的範囲内にある設計的事項であることを確認的に明示しておく。
【産業上の利用可能性】
【００３８】
本発明は、容器内の被乾燥処理物を乾燥処理するあらゆる装置に適用可能である。
【符号の説明】
【００３９】
１  回転ドラム
２  投入・排出口
３  支持台
４，５  支持座
６，７  回転軸
８  スプロケット
９  電動機
１０  ベルト
１１  吸気手段
１２  中空部
１３，２３  軸受
１４，１７  開口部
１５  ノズル
１６  流路
１８，３２  フィルター
１９  排気手段
２０  基端部
２１，２９  クランプ
２２  鍔部
２４  回転継手
２５  中間継手
２６，２８  被締結部
２７  排気管
３０  透孔
３１  芯金
３３  フィルター枠部
Ａ  乾燥機
【図１】
2016191487.tif 000003
【図２】
2016191487.tif 000004
【図３】
2016191487.tif 000005
【図４】
2016191487.tif 000006
【図５】
2016191487.tif 000007